Podtech/llm-jp-corpus-v4-ja_patent huggingface dataset:
(57)【要約】      （修正有）【課題】乗用玩具本体に写真、イラスト、視覚的錯覚を利用して立体的に浮き上がって見える２Ｄまたは３Ｄ印刷物などを付するようにし、容易に差し替えをすることで玩具本体の形状は変わらずとも、様々な雰囲気を味わえる乗用玩具を提供する。【解決手段】玩具本体１と、本体にかぶせた透明カバー２、ハンドル４、持ち手３、車輪５で構成し、ハンドルを固定しているネジをゆるめ、ハンドルを外してカバーを引き上げ、幼児の好むような写真、イラスト、用紙や紙でありながらも、視覚的錯覚を利用して立体的に浮き上がって見える印刷物などを玩具本体とカバーとの隙間に容易に差し込めるようにしたものである。【選択図】図１
0003159929.tif 000002
【実用新案登録請求の範囲】
【請求項１】
プラスチック製の乗用玩具に透明カバーをかぶせ、玩具本体と透明カバーとの隙間に写真やイラスト、視覚的錯覚を利用して立体的に浮き上がって見える２Ｄまたは３Ｄの印刷物を差し込めるようにし、透明カバーの装着、脱着によりその差し替えができることを特徴とする乗用玩具。
【考案の詳細な説明】
【技術分野】
【０００１】
本考案は、幼児がまたがって遊ぶ乗用玩具にカバーをかぶせ、乗用玩具本体とカバーの隙間に絵や写真又は印刷物を差し込んで、差し替えを楽しむ乗用玩具に関するものである。
【背景技術】
【０００２】
これまで、幼児がまたがって遊ぶ乗用玩具としては、玩具本体にシールや印刷物を貼りつけたものは知られていた。
【考案の概要】
【考案が解決しようとする課題】
【０００３】
しかし、この玩具本体にシールや印刷物を貼りつけたものの場合、幼児や保護者の希望でこれを取り替えようとはがす際にはシールや印刷物等を痛めることになり、容易に貼りかえできるものはなかった。
【課題を解決するための手段】
【０００４】
上記課題を解決するために本考案は、貼りかえではなく写真などの印刷物が容易に差し替えできるよう乗用玩具本体に例えばポリエチレンテレフタレート（ＰＥＴ）素材でできた透明カバーをかぶせ、本体と透明カバーとの間に隙間を設けるようにして、この隙間に写真のほか、イラスト、視覚的錯覚を利用して立体的に浮き上がって見える２Ｄまたは３Ｄの印刷物などを差し込み、乗用玩具本体の各面ごとに印刷物を置いて透明カバーをかぶせれば、写真などの印刷物を痛めることなく乗って楽しむことができる。
【考案の効果】
【０００５】
本考案は、玩具本体にシールなどを貼るのではなく、玩具本体と透明カバーとの間の隙間を利用して、ここに写真やイラスト、印刷物等を差し込むので、差し替えが容易にでき、乗用玩具本体の形状はかわらずとも、乗って楽しむことのほか様々な雰囲気を味わうことができるものである。
【０００６】
差し替えする印刷物を特定しないため、幼児の好むような、例えば車、電車、新幹線の乗り物写真のほか、動物などのイラスト、印刷物を差し込めば幼児の性別に関係なく楽しむことができる。
【図面の簡単な説明】
【０００７】
【図１】本考案の実施例における乗用玩具の断面略図である。
【図２】本考案の実施例において玩具本体と透明カバーとの隙間に絵を差し込んだ乗用玩具の側面図である。
【考案を実施するための形態】
【０００８】
以下、図面に基づき本考案を詳しく説明する。
玩具本体１は、着色されたプラスチック製でできており、印刷物の差し込みがしやすいよう前面１Ａ、左右の側面１Ｂ、後面１Ｃ、上面１Ｄの各面はなるべく曲面を少なくし、玩具本体の形は箱型に近い形状にした。透明カバー２は１歳〜５歳までの幼児が乗って耐えうる強度をもち、軽量かつ傷の付きにくいポリエチレンテレフタレート（ＰＥＴ）素材でできており、玩具本体１にかぶせて使用する。
【０００９】
玩具本体１の座面の高さは幼児が乗り降りしやすいよう地面Ｇより約２２０ｍｍとし、長さは約５５０ｍｍ、幅約２２０ｍｍとした。なお、図中３は持ち手、４はハンドル、５は乗用玩具としての車輪である。
【００１０】
印刷物を差し替える際は、ハンドル４を固定しているネジをゆるめてハンドル４を外し、透明カバー２を上に持ち上げる。持ち手３は玩具本体１に固定されているので、透明カバー２は、最大持ち手３の高さまでしか上がらない。
玩具本体１の前面１Ａ、左右の側面１Ｂ、後面１Ｃ、上面１Ｄの５面にそれぞれ印刷物を置き、透明カバー２をかぶせ、ハンドル４を戻してネジで再び固定する。
印刷物は玩具本体とカバーの間の隙間が広い場合、そのまま差し込んだだけでは隙間より落ちてしまう。このため隙間より落ちてしまわないよう玩具本体１と透明カバー２の隙間は約０．１ｍｍ〜約０．２ｍｍとした。
【００１１】
差し替えするものは幼児の描いた絵でもよく、例えば動物の絵の場合には、玩具本体１の前面１Ａ、左右の側面１Ｂ、後面１Ｃ、上面１Ｄの５面の大きさにほどよくおさまるぐらいに絵を切りそろえ、カバーを装着する。
絵を置いていない部分は、素地である着色されたプラスチックの本体が見えるが、それが背景となり、玩具本体１の着色が緑色の場合は背景が草原のように見える。
【符号の説明】
【００１２】
１    玩具本体
１Ａ  前面
１Ｂ  左右の側面
１Ｃ  後面
１Ｄ  上面
２    透明カバー
３    持ち手
４    ハンドル
５    車輪
６    写真やイラストなど
【図１】
0003159929.tif 000003
【図２】
0003159929.tif 000004
(57)【要約】      （修正有）【課題】手に取りやすく、しかもそのまま持ち替えることをしないで切断動作に移ることができるハサミを提供する。【解決手段】ハサミを取り上げやすくするために、寝かせて置かれた状態にあるハサミの、回転軸部分６の近辺すなわち把持孔３前縁から刃の基部に至るまでの間のどこかに、立ち上がり部４を設けて、把持部２を刃部１のある平面より上方に浮かせて位置させた。そのことで、把持部２にある把持孔３への手指の差し入れと、それに続くハサミの取り上げ、さらにはその後の切り出しへの移行を容易にした。【選択図】図１
0003159999.tif 000002
【実用新案登録請求の範囲】
【請求項１】
平面上に置かれたハサミを取り上げやすくするために、寝かせて置かれた状態にあるハサミにおいて、手指で把持部をつかみやすいように、ハサミの刃部が置かれた平面から上方に浮かせた位置に設定された把持部をもつことを特徴とするハサミ。
【考案の詳細な説明】
【技術分野】
【０００１】  本考案は、ハサミの形状に関するものである。置かれた状態にあるハサミを手に取ることから、それに続く紙などの切断に至るまでの一連の動作を容易にするものである。
【背景技術】
【０００２】  従来から、ハサミは平面的な形状に作られている。これは、作りやすさや切りやすさに配慮されたものであると思われるが、一方で、置かれた状態から手に取るための配慮がなされているとはいいがたい。頻用されるものであるので、手に取りやすさも工夫がなされるべきである。また、手に取った後の切断動作への移行のしやすさも配慮がなされるべきである。
【考案の概要】
【考案が解決しようとする課題】
【０００３】  ハサミを使用する場合、通常、机やテーブル、床などの平面部に寝かせた状態で置かれているものを手に取ることが多い。その際、ハサミが平面的であると、取り上げにくい上に、ただ取り上げただけでは、切断動作時に指が差し込まれているはずの把持部の孔に指先が十分入った状態には至っていない。
従って、持ち替え無しにすぐに切断動作に移ることはできない。このことは、頻回に取ったり置いたりを繰り返しながら切断動作を行うハサミの使用にあたり、大変不便である。簡単に取り上げられ、しかも、その取り上げ方が、ハサミを切り出すときの握り方と同様に、把持部の孔に指先がきちんと入った状態となるように工夫がなされるべきである。
【課題を解決するための手段】
【０００４】  ハサミを取り上げやすくするために、寝かせて置かれた状態のハサミの把持部を、ハサミが置かれた平面から浮かせて高めに位置させることを考案した。そうすることで、把持部の孔に指を差し込みやすくなり、ハサミの取り上げを容易にすることができた。また、それに続く切り出し動作も、そのまま持ち替えをせずに行えるようになった。
【考案の効果】
【０００５】  寝かせて置かれたハサミの把持部の位置を、ハサミが置かれた面から浮かせたことにより、置かれた状態の把持部の孔の中に、容易に手指をその指紋部中央辺りまで差し込むことができるようになり、ハサミの取り上げやすさが大きく改善された。しかも、把持部の孔への当初の指の差し込み度合いが、従来の平面的なものと比べて大幅に増したことで、通常の切断時とほぼ同様の握り方でハサミを取り上げることが可能となり、そのため、切断動作に移行する際に通常行われる指入れのための持ち替え動作までもが不要となって、スムーズな切り出しが行えることとなった。
【考案を実施するための形態】
【０００６】  以下、本考案のハサミの構造を、図面に示す実施例に基づいて具体的に説明する。
（イ）．図１は本考案の最良の形態における実施例を示すものであり、ハサミが水平に置かれたとき、ハサミの把持部（２）が、ハサミの刃部（１）の属する平面よりも高い位置に設定されていることを示したものである。
（ロ）．図２は図１の断面図である。
（把持部は、正中部では断面とならないために、正中から見た側面観となっている。）
把持部の立ち上がり部（４）は、垂直な平面でも、斜面でも、また、曲面でも可とする。また、その立ち上がり部は、回転軸部分（６）と把持部の間に限られるものでなく、回転軸と刃部の間に設定されても、また回転軸部であっても可とする。
また、置かれたハサミを水平に保つべく把持部の端に設けられた突起状部（５）は、その用途に合ったものであれば形状は問わず、その数は一個でも複数個でもよく、ハサミの把持部の方が素材の関係などでその他の部の重量よりも軽くなる場合には省くこともできるものである。
また、把持部の後端を下方に折り曲げて、突起状部の代わりにその役割を担わせる方法もある。
【０００７】  図３の実施例は、側面より見たハサミの把持部の形状をアーチ状とした場合のものの断面図である。ここでのアーチの形状は、その屈曲度合いを含めて特に制約を設けないものとするが、ハサミの切断時の使い勝手を考えると、把持部の孔の辺りはハサミの刃部が属する平面と平行ないしは平行に近いものであることが望ましい。また、把持孔周辺の把持部の高さについては、本考案の趣旨に沿ったものでありさえすればよいものとする。さらに、ハサミの各部の材質は、図３の実施例に限らずここでの全ての実施例において、その機能を果たせるものであれば問わないものとする。
【０００８】  図４の実施例は、従来通りの平面的な形状のハサミに、本考案の趣旨に則った把持部を重ねた形状をしたものである。把持部が二重となるので、形態的にも重量的にも若干扱いにくいとは思われるが、従来通りの位置にある把持部（７）に、付加された把持部（８）が重ねられることで、ここでの趣旨に近似した効果のハサミが作れる利点がある。また重量は、把持部に例えばプラスチックのような軽量素材を多用すれば軽減できるものである。
【図面の簡単な説明】
【０００９】
【図１】本願考案の第１の実施の形態に係るハサミの斜視図である。
【図２】本願考案の第１の実施の形態に係るハサミの縦断面図である。把持部は、正中部では断面とならないために、正中側面観となっている。
【図３】本願考案の第２の実施の形態に係るハサミの縦断面図である。
【図４】本願考案の第３の実施の形態に係るハサミの縦断面図である。
【符号の説明】
【００１０】  １    刃部
２    把持部
３    把持孔
４    立ち上がり部
５    突起状部
６    回転軸部分
７    従来通りの位置にある把持部
８    付加された把持部
【図１】
0003159999.tif 000003
【図２】
0003159999.tif 000004
【図３】
0003159999.tif 000005
【図４】
0003159999.tif 000006
【手続補正書】
【提出日】平成22年3月26日(2010.3.26)
【手続補正１】
【補正対象書類名】実用新案登録請求の範囲
【補正対象項目名】全文
【補正方法】変更
【補正の内容】
【実用新案登録請求の範囲】
【請求項１】
ハサミの回転軸部分の近辺に、ハサミを長軸的に屈曲させるための立ち上がり部を設けて、ハサミの把持部の位置を、通常のハサミの如く刃部の延長上に設けるのでなく、それとは異なる段違いの平面ないしは曲面上に、刃部の面と平行あるいはそれに近い形で設定することで、平面上に寝かせて置かれた状態にあるハサミを取り上げる際に、その浮かされた状態にある把持部を手指でつかみやすくしたことを特徴とするハサミ。
(57)【要約】      （修正有）【課題】設備が不十分な状況下において、簡単かつ迅速に、個室で温水シャワーを浴びトイレを使用出来る環境を整えることで、個人のプライバシーを守り、ストレスを軽減する移動式温水シャワー兼トイレルームを提供する。【解決手段】温水シャワーを浴びることが出来る囲われた空間を確保し、水道水を瞬間的に３５度から４５度まで沸かすことが出来る２００Ｖ仕様の電気瞬間湯沸かし器及びトイレを設置した。【選択図】図１
0003159965.tif 000002
【実用新案登録請求の範囲】
【請求項１】
上面部と床面部、左右側面部、背面部及び扉を備えた前面部から構成されるボックスに水道水を瞬間的に３５度から４５度まで沸かすことの出来る２００Ｖ仕様の電気瞬間湯沸かし器及び市販のトイレを設置することにより、温水シャワー及びトイレを一箇所で使用することが出来る設備。
【請求項２】
請求項１のボックス床面部にキャスターを取り付けることにより簡単に移動出来る、移動式温水シャワー兼トイレルーム。
【考案の詳細な説明】
【技術分野】
【０００１】  本考案は、水と発電機を用いて、個室内に電気瞬間湯沸かし器による温水シャワー及び市販のトイレを兼ね備えている設備である。
【背景技術】
【０００２】  従来２００Ｖで作動する電気瞬間湯沸かし器を利用した温水シャワー兼トイレ設備が存在しない。そのため、設備が整っていない野外で活動を行う際や災害時という状況下では、簡単に温水シャワーを浴び、それと同時にトイレを使うということが困難だった。
【考案が解決しようとする課題】
【０００３】  設備が不十分な状況下において、簡単かつ迅速に、個室で温水シャワーを浴び、トイレを使用出来る環境を整えることで個人のプライバシーを守り、ストレスを軽減することである。
【課題を解決するための手段】
【０００４】  上記課題を解決するために、野外活動時や災害時に温水シャワーを浴びるための上面部と床面部、左右側面部、背面部及び扉を備えた前面部から構成されるボックスによって囲われた空間を保持し、そこに水道水を瞬間的に３５度から４５度まで沸かすことが出来る、２００Ｖ仕様の電気瞬間湯沸かし器及び市販のトイレを設置した設備が、本考案の移動式温水シャワー兼トイレルームである。
【考案の効果】
【０００５】  プライバシーが守られている空間内で温水シャワーを浴びることが出来、尚且つ、トイレを使用出来るということは、近年の社会生活において極めて重要な要素であるため、本考案により、インフラが整っていない状況下で生じ得る様々な問題解消に貢献出来る。
【図面の簡単な説明】
【０００６】
【図１】本考案に関する全体図である。
【実施例】
【０００７】  本考案の実施例について図面を用いて説明する。
１上面部と床面部、左右側面部、背面部及び扉を備えた前面部から構成されるボックスにより囲われた空間を作り、個人のプライバシーを保持する。１ボックス本体は、１１キャスターにより容易に移動することが出来る。【０００８】  １ボックス内に市販の９トイレを設置することで野外でも周囲を気にすることなく用を足すことが出来る。【０００９】  ２電気瞬間湯沸かし器は、１０発電機から供給される電源を３外部入力コンセントに接続することで作動し、水道水を瞬間的に最大４５度まで沸かす。これにより、温水シャワーを使用することが出来る。【００１０】  水道水は、１ボックス下部に設けられた４清水タンク内に貯水することもでき、温水シャワー使用後の排水は、１ボックス下部に設けられた５排水タンク内に貯水することが出来る。【００１１】  ４清水タンク内に貯水された水は６水ポンプにより２電気瞬間湯沸かし器へ送られる。【００１２】  ６水ポンプは７水ポンプ用バッテリーにより作動する。【００１３】  ７水ポンプ用バッテリーは８バッテリー充電器により充電される。【００１４】  ８バッテリー充電器は、１０発電機から供給される電気を電源として作動する。
【符号の説明】
【００１５】１    ボックス
２    電気瞬間湯沸かし器
３    外部入力電源
４    清水タンク
５    排水タンク
６    水ポンプ
７    水ポンプ用バッテリー
８    バッテリー充電器
９    トイレ
１０  発電機
１１  キャスター
【図１】
0003159965.tif 000003
【手続補正書】
【提出日】平成22年3月12日(2010.3.12)
【手続補正１】
【補正対象書類名】実用新案登録請求の範囲
【補正対象項目名】全文
【補正方法】変更
【補正の内容】
【実用新案登録請求の範囲】
【請求項１】
上面部と床面部、左右側面部、背面部及び扉を備えた前面部から構成されるルームボックスであって、水道水を瞬間的に３５度から４５度まで沸かすことの出来る２００Ｖ仕様の電気瞬間湯沸かし器及びトイレを有することを特徴とするシャワー兼トイレルームボックス。
【請求項２】
ルームボックス床面部にキャスターを取り付けたことを特徴とする請求項１に記載の移動式温水シャワー兼トイレルーム。
(57)【要約】      （修正有）【課題】大きな字を書くのに用いる中筆および大筆を自由自在に操り、力強い表現をするのに役立つ毛筆を提供する。【解決手段】毛筆本体２０Ａおよびグリップ２０Ｂを含む。毛筆本体２０Ａは、筆軸２１の一端に筆鋒２２を結合させてなる。筆軸２１の頂端に第１の結合部２３が設けられている。グリップ２０Ｂは、人体工学に基づき、握ることが可能な形態であり、底部に第２の結合部２４を設け、筆軸２１の頂端の第１の結合部２３と相互に結合する。これにより、大きな字を書くのに用いる中筆および大筆を自由自在に操ることができる。【選択図】図３
0003159970.tif 000002
【実用新案登録請求の範囲】
【請求項１】
筆軸の一端に筆鋒を結合させてなり、前記筆軸の頂端に第１の結合部が設けられている毛筆本体と、
人体工学に基づき、握ることが可能な形態で、底部に第２の結合部を設け、前記筆軸の頂端の前記第１の結合部と相互に結合し、手で握って書くグリップと、を含むことを特徴とする毛筆。
【請求項２】
前記第１の結合部および前記第２の結合部は、それぞれおねじおよびめねじであることを特徴とする請求項１に記載の毛筆。
【考案の詳細な説明】
【技術分野】
【０００１】
本考案は、毛筆に関し、特に、大きな字を書くのに用いる中筆および大筆を、楽に操り、力強い表現をするのに役立つ毛筆に関する。
【背景技術】
【０００２】
図１を参照する。図１は、従来の毛筆を示す斜視図である。図１に示すように、従来の毛筆１０は、筆軸１１に筆鋒１２を結合させてなる。従来の毛筆１０は、持ち方にはいろいろあるが、親指、人差し指および中指で筆軸１１を持ち、腕、指および肘を移動させて文字を書く。
【０００３】
従来の毛筆１０の構造および持ち方は、昔から長い間変わらないが、従来の毛筆１０の筆軸１１および筆鋒１２は、同一垂直軸線上にあるため、従来の三本指による持ち方で書く場合、腕の動く範囲が限定され、自由自在に動かすことができなかった。また、大きな字を書く中筆および大筆においては、手や腕が疲れやすかった。
【０００４】
以上のように、従来の毛筆における欠点をいかに解決するかが重要な課題であった。
【考案の概要】
【考案が解決しようとする課題】
【０００５】
本考案の目的は、大きな字を書くのに用いる中筆および大筆を自由自在に操り、力強い表現をするのに役立つ毛筆に関する。
【０００６】
上述の目的を達成するため、本考案は、毛筆を提供する。本考案の毛筆は、毛筆本体およびグリップを含む。毛筆本体は、筆軸の一端に筆鋒を結合させてなる。筆軸の頂端に第１の結合部が設けられている。グリップは、人体工学に基づき、握ることが可能な形態であり、底部に第２の結合部を設け、筆軸の頂端の第１の結合部と相互に結合する。これにより、大きな字を書くのに用いる中筆および大筆を自由自在に操ることができる。
【考案の効果】
【０００７】
本考案の毛筆は、大きな字を書くにに用いる中筆および大筆にグリップを組み合わせることにより、従来より腕の動く範囲を拡大し、自由自在に毛筆を操ることができる。また、楽に文字を書くことができ、力強い表現を行なうことができる。
【図面の簡単な説明】
【０００８】
【図１】従来の毛筆を示す斜視図である。
【図２】本考案の一実施形態による毛筆を示す斜視図である。
【図３】本考案の一実施形態による毛筆を示す分解斜視図である。
【図４】本考案の毛筆の使用動作を示す斜視図である。
【考案を実施するための形態】
【０００９】
以下、本考案の実施形態を図面に基づいて説明する。
【００１０】
図２を参照する。図２は、本考案の一実施形態による毛筆を示す斜視図である。図３は、本考案の一実施形態による毛筆を示す分解斜視図である。図４は、本考案の毛筆の使用動作を示す斜視図である。図２〜４に示すように、本考案の毛筆２０は、毛筆本体２０Ａおよびグリップ２０Ｂを含む。
【００１１】
毛筆本体２０Ａは、筆軸２１の一端に筆鋒２２を結合させてなる。筆軸２１の頂端には、第１の結合部２３が設けられている。好適な実施形態において、第１の結合部２３は、おねじである。
【００１２】
グリップ２０Ｂは、人体工学に基づき、握ることが可能な形態で、底部に第２の結合部２４を設けている。第２の結合部２４は、筆軸２１の頂端の第１の結合部２３と相互に結合する。好適な実施形態において、第２の結合部２４は、めねじである
【００１３】
グリップ２０Ｂが毛筆本体２０Ａの頂端に結合しているため、本考案の毛筆２０を用いる際は、グリップ２０Ｂを握って毛筆本体２０Ａを操ればよい。そうすれば、腕の動く範囲が拡大し、自由自在に動かすことができる。楽に文字を書くことができるため、力強さを十分に発揮することができる。特に、大きな字を書く中筆および大筆においては、この特徴は顕著である。
【００１４】
毛筆本体２０Ａの第１の結合部２３とグリップ２０Ｂの第２の結合部２４との結合は、おねじとめねじとの結合によるのが好適であるが、毛筆本体２０Ａとグリップ２０Ｂとは、簡単で、堅固に結合する以外に、簡単に解体でき、異なる毛筆本体２０Ａまたはグリップ２０Ｂと組み合わせることができる。例えば、毛筆本体２０Ａのサイズまたはグリップ２０Ｂのサイズおよび重さをユーザーの好みにより組み合わせることができるのである。
【００１５】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案登録請求の範囲で指定した内容を基準とする。
【符号の説明】
【００１６】
２０    毛筆
２０Ａ  毛筆本体
２０Ｂ  グリップ
２１    筆軸
２２    筆鋒
２３    第１の結合部
２４    第２の結合部
【図１】
0003159970.tif 000003
【図２】
0003159970.tif 000004
【図３】
0003159970.tif 000005
【図４】
0003159970.tif 000006
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
筆軸の一端に筆鋒を結合させてなり、前記筆軸の頂端に第１の結合部が設けられている毛筆本体と、
握ることが可能な形態で、底部に第２の結合部を設け、前記筆軸の頂端の前記第１の結合部と相互に結合し、手で握って書くグリップと、を含むことを特徴とする毛筆。
【請求項２】
前記第１の結合部および前記第２の結合部は、それぞれおねじおよびめねじであることを特徴とする請求項１に記載の毛筆。
(57)【要約】      （修正有）【課題】有毒で危険な溶剤接着液の取り扱いの必要から解消され作業者の健康被害を防止し、作業を効率化することができる印版剥離防止用粘着シール及びテープを提供する。【解決手段】シールの周囲の辺およびテープの幅方向になる両側の辺を波状とする。テープには、長さを数ｃｍ刻みに切断可能にする切り取り線を施す。【選択図】図１
0003159966.tif 000002
【実用新案登録請求の範囲】
【請求項１】
周囲の辺の形状を、円や波状等を組み合わせ接着性と密着性を高めた事を特徴とする印版剥離防止用シール。
【請求項２】
幅（短）方向になる辺を波状とし、長さを必要に応じて、自在に切断可能にする切り取り線を施した、巻き状型の印版剥離防止用テープ。
【考案の詳細な説明】
【技術分野】
【０００１】  本考案は、ダンボール等印刷用印版の剥離防止に関するものである。
【背景技術】
【０００２】  従来から、ダンボール印刷用の印版はその印刷特性から弾性を備えた厚みの有る形状の物が使用されている。従って重さを有する印版が印刷の回転による遠心力で剥離しないように、両面テープで整版シートに貼り込んだ後、印版の周囲に溶剤接着液を流し込み接着強化を図っている（図２）。
【考案の開示】
【考案が解決しようとする課題】
【０００３】  しかし、これでは、作業や運搬に関わる従事者が溶剤接着液の発する有毒性物質を吸引することになり健康被害をはじめ、環境悪化や引火爆発事故の危険性も孕んでいて緊急に解決しなければならない課題となっている。
【課題を解決するための手段】
【０００４】  この課題を解決する為、請求項１の考案は、有害で危険な溶剤接着液を使用しなくても印版の接着強度を保持できる様、周囲の辺を円や波状等剥がれにくい形状にし、印版の周りと整版シートに密着させる形で貼り付けて印版を固定する印版剥離防止用シールを考案した。（図１参照）【０００５】  また、請求項２の考案は、前記と同じく溶剤接着液を使用しなくても印版の固定が可能な、幅（短）方向となる辺の形を波状にして剥がれ難くし、長さを自在に切断して使用できる様、数センチメートルごとに切り取り線を施した巻き状型の印版剥離防止用テープを考案した。（図１参照）
【考案の効果】
【０００６】  よって、本考案の印版剥離防止用テープ等を使用することにより、
１．人体への有害性物質の吸入健康被害が防止できる。
２．引火による爆発、火災事故が防止できる。
３．作業時の防毒マスク、保護眼鏡、保護手袋など保護具を使用する必要がなく、作業労力を軽減できる。
４．作業室の強制排気による、熱効率の低下と環境悪化を防ぐ事ができる。
５．接着液の乾燥待ち時間が無くなり、作業の効率化が図れる。
６．印版の差し替えや、印版の位置移動等の際発生する印版の剥離作業が大幅に簡素化できる。
７．印版を処分する際の分別やリサイクル作業の効率化が図れる。
【考案を実施するための最良の形態】
【０００７】  本考案に係る印版剥離防止用テープ等は、図１に示すように印版や整版シートに接着する面は強粘着性とし、形状は角部分の少ない円や波状を組み合わせた形とし、剥がれ難い形状とした。
材質は、印版を固定するに強度と密着性を有するペット樹脂系のフイルムが環境面からも望ましい。
【図面の簡単な説明】
【０００８】
【図１】  （１）本考案に係る印版剥離防止用シールと使用例の図である。（２）本考案に係る印版剥離防止用テープと使用例の図である。
【図２】  従来の溶剤接着液を使用している図である。
【符号の説明】
【０００９】  Ａ．印版剥離防止用シール
Ｂ．印版剥離防止用テープ
Ｃ．整版シート
Ｄ．印版
Ｅ．溶剤接着液
Ｆ．印刷機の版胴
Ｇ．切り取り線
【図１】
0003159966.tif 000003
【図２】
0003159966.tif 000004
【手続補正書】
【提出日】平成22年3月11日(2010.3.11)
【手続補正１】
【補正対象書類名】実用新案登録請求の範囲
【補正対象項目名】全文
【補正方法】変更
【補正の内容】
【実用新案登録請求の範囲】
【請求項１】
周囲の辺の形状を、円や波状を組み合わせ接着性と密着性を高めた事を特徴とする印版剥離防止用粘着シール。
【請求項２】
幅方向になる両側の辺を波状とし、長さを数センチメートル刻みに切断可能にする切り取り線を施した、巻き状型の印版剥離防止用粘着テープ。
(57)【要約】      （修正有）【課題】複数の異種料理を混在しないよう仕切る仕切皿において、洗浄機にかけ易い形状を備えた仕切皿を提供する。【解決手段】皿本体１と、この皿本体１の上面に一定幅にて形成された外周縁２と、この外周縁にて囲繞され、且つ異種の食物を個々に区分して並べる。又、前記外周縁より低い高さに仕切山壁３にて形成された複数のくぼみ部４と、前記皿本体の底部に形成されると共に、外周縁にて囲まれた空間面積より小面積でしかも相似形の突出平坦部とで仕切皿を形成する。【選択図】図１
0003159950.tif 000002
【実用新案登録請求の範囲】
【請求項１】
皿本体と、この皿本体の上面に一定幅にて形成された外周縁と、この外周縁にて囲繞され、且つ異種の食物を個々に区分して並べると共に、前記外周縁より低い高さに仕切山壁にて形成された複数のくぼみ部と、前記皿本体の底部に形成されると共に、外周縁にて囲まれた空間面積より小面積でしかも相似形の突出平坦部とで成したことを特徴とした仕切皿。
【請求項２】
前記皿本体のくぼみ部及び突出底部は、四辺形に形成したことを特徴とする請求項１記載の仕切皿。
【請求項３】
前記くぼみ部に、並べられる食物の名称が付されていることを特徴とした請求項１又は２に記載の仕切皿。
【考案の詳細な説明】
【技術分野】
【０００１】
本考案は、複数の異種料理を混在しないよう仕切る仕切皿に関するものである。
【背景技術】
【０００２】
通常、食事用の皿の中で、仕切皿は一枚に複数の異種料理を乗せた際、それぞれの料理に伴う料理液が混ざり合うことはなく使用後の皿洗いも１枚で済むため、多数の食事を提供する教育施設や介護施設で多く利用されている。
【０００３】
また、発育盛りの幼児から青少年、そして持病や成人病で食事制限を行う必要がある成人、老人に食品分類毎の食材の分量が簡単にわかるような配慮すること、さらには摂るべきものと制限すべきものとを容易に見分けて食事を摂る仕組みを講ずる必要がある。
【０００４】
而して食事療法用食器並びに食事療法用表示部材及び食事療法のための食品の表示法の名称で、患者がカロリーや栄養配分の計算をしなくても栄養バランスの良い食事が簡便に用意できる食事療法用食器として、仕切皿の縁と仕切面に食品のイラストとカロリー数を表示して一日取得カロリー表示と身長による理想体重表示を書き入れている仕切皿として文献１がある。
【０００５】
しかしながら、文献１にある従来の合成樹脂製仕切皿の底面には上面の仕切山壁の部分が溝となっておりその溝部分に付着した汚れが落ちにくく、且つ、上下に同形の仕切皿を複数枚重ね合わせて、洗浄機に収納するので、その部分に洗浄水が行き渡らず、汚れが落ち難く衛生上の問題点を残していた。
【先行技術文献】
【特許文献】
【０００６】
【特許文献１】特開平８−１８２５９８    公報
【考案の概要】
【考案が解決しようとする課題】
【０００７】
従来の合成樹脂製仕切皿の底面には、上面の仕切山壁の部分が溝となっておりその溝部分に付着した汚れが落ちにくく、且つ、上下に同形の仕切皿を複数枚重ね合わせて、洗浄機に収納するので、その部分に洗浄水が行き渡らず、汚れが落ち難く衛生上の問題点を残していた。
【課題を解決するための手段】
【０００８】
本考案は、皿本体の上面に一定幅にて外周縁を形成し、仕切りは前記外周縁より低い高さに形成し、前記皿本体の底部を、外周縁にて囲まれた空間面積より小面積でしかも相似形で平面状の突出平坦部を成すことにより、上記課題を解決するものである。
【考案の効果】
【０００９】
（１）請求項１により、食事で使用済みの汚れた皿本体を洗浄機に複数枚並べて収納し、洗浄する際、底側が平面状でくぼみも溝もないため、汚れが残らないのはもちろん、洗い終えた皿を複数枚重ねても皿本体の上面外周縁が上の皿の外周縁下面を支えることにより上の皿の底部はくぼみに接触せず、清潔さを保つことができる。
（２）請求項３により、くぼみ部に並べられる食物の名称を付すことにより、摂るべき食品分類が一目瞭然となり、家庭や介護の現場での作業性が向上し、且つ健康維持を配慮した食事管理において有益となる。
【図面の簡単な説明】
【００１０】
【図１】仕切皿の正面図
【図２】仕切皿の底面図
【図３】仕切皿を複数枚重ねた横断面図
【考案を実施するための形態】
【００１１】
以下、本考案を実施例として揚げた図面に基づいて説明すると、図１は仕切皿を示す正面図であって、皿本体１は、上面に一定幅Ｓにて外周縁２を形成して、この外周縁２にて囲繞されると共に仕切山壁３により各種食物を並べるくぼみ部４を複数区分に形成している。
【００１２】
図２は、皿本体１の底部５を示し、くぼみや溝のない平面状にすることにより、汚れが付きにくく洗い易くすると共に、複数の皿本体１を重ねられるように、底部５の外周幅員Ｂは、外周縁２の内周幅員Ａより小さくして、仕切山壁３の高さは上面の外周縁２よりも低くして、底部５の突出平坦部６が収まる形に作り収納できるようにする。
【００１３】
材質については、合成樹脂、強化ガラス他材質に限りはない。
【００１４】
皿本体の複数のくぼみ部４に食品分類名Ｆを表示して、摂取すべき食品を示している。もちろんイラストを描いてもよい。示す食品が乗っていなければ、どの種類の栄養が不足するか提供者も食べる側も目視にて確認できる。
【符号の説明】
【００１５】
１  皿本体
２  外周縁
３  仕切山壁
４  くぼみ部
５  底部
６  突出平坦部
Ｆ  食品分類名
Ａ  外周縁の内側幅員
Ｂ  底部の外側幅員
【図１】
0003159950.tif 000003
【図２】
0003159950.tif 000004
【図３】
0003159950.tif 000005
【手続補正書】
【提出日】平成22年3月29日(2010.3.29)
【手続補正１】
【補正対象書類名】実用新案登録請求の範囲
【補正対象項目名】全文
【補正方法】変更
【補正の内容】
【実用新案登録請求の範囲】
【請求項１】
皿本体と、この皿本体の上面に一定幅にて形成された外周縁と、この外周縁にて囲繞され、且つ異種の食物を個々に区分して並べると共に、前記外周縁より低い高さに仕切山壁にて形成された複数のくぼみ部と、前記皿本体の底部に形成されると共に、外周縁にて囲まれた空間面積より小面積でしかも相似形の突出平坦部とで成したことを特徴とした仕切皿。
【請求項２】
前記皿本体のくぼみ部及び突出平坦部は、四辺形に形成したことを特徴とする請求項１記載の仕切皿。
【請求項３】
前記くぼみ部に、並べられる食物の名称が付されていることを特徴とした請求項１又は２に記載の仕切皿。
(57)【要約】      （修正有）【課題】柔軟性のあるパイプ（ウレタンやビニール製等のパイプ）中央部分にフックのついた凸部から両端にのびたパイプを使用することによって魚のアタリが敏感にわかる釣りの仕掛けを提供する。【解決手段】道糸に挿通するパイプ１であって、パイプ１の中央部分にオモリ４の移動を防止するための凸部３を設け、その凸部にオモリ４を係止するためのフックを設けたことを特徴とする、オモリ４の移動防止のためのパイプを設けて釣りの仕掛けとする。【選択図】図３
0003159945.tif 000002
【実用新案登録請求の範囲】
【請求項１】
パイプ中央部分の凸にフックのついた柔軟性のあるパイプ（図１）を使用することによって、小さなアタリも的確にとれる釣りの仕掛け。
【考案の詳細な説明】
【考案の詳細な説明】
【考案が解決しようとする課題】
【０００１】（イ）宙釣り、底釣りの小さなアタリがウキに表れない。
（ロ）仕掛けが水中を降下するときに途中でエサが落ちてしまう。
（ハ）道糸とハリスが絡みやすい。
（ニ）道糸がオモリで傷みやすい。
（ホ）板オモリの追加がやりにくい。
（ヘ）宙釣りから底釣りへ、底釣りから宙釣りへの変更が面倒である。
【課題を解決するための手段】
【０００２】図１のように、柔軟性のあるパイプ（ウレタンやビニール製等のパイプ、以下パイプと言う）中央部分にフックのついた凸部から両端にのびたパイプを使用することによって課題が解決可能となった。
【考案の効果】
【０００３】次のような効果によりさらに釣果を上げることが出来る。
（イ）パイプの使用により道糸を傷めない。
（ロ）宙釣りの場合は、図３のような状態でゆっくり水中を降下するためエサ落ちが少なく、糸の絡みも防止できる。
（ハ）宙釣りの場合は、図４の状態であり、道糸はパイプの中をスムースに動き小さなアタリも的確にとれる。
（ニ）底釣りの場合は、図６のような状態でゆっくり水中を降下するためエサ落ちが少なく、糸の絡みも防止できる。
（ホ）底釣りの場合は、図７のような状態であり、道糸はパイプの中をスムースに動き小さなアタリも的確にとれる。
（ヘ）宙釣りの場合の板オモリは、図２のようにパイプに設けられたフック及び凸により板オモリが固定され、また板オモリの増加が凸部の上下に取り付けが簡単に可能となった。
（ト）底釣りの場合のオモリは、図５のように、パイプに設けられたフックに取り付けが簡単に可能となった。また板オモリの増加が凸部の上下に取り付けが簡単に可能となり調整が簡単になった。
（チ）宙釣りから底釣りへ、底釣りから宙釣りへの変更が効果を落とすことなく簡単に出来るようになった。
（リ）宙釣り専用として使用する場合には、フック部分をカットし、よりシンプルな仕掛けにすることにより感度が上がり小さなアタリも的確にとれる。
（ヌ）アタリの小さい冬季の釣りには、ネウキによりその効果をさらに発揮し、道糸はパイプの中をスムースに動き小さなアタリも敏感にとれる。
【図面の簡単な説明】
【図１】本考案のパイプの平面図である。
【図２】宙釣り時のパイプへの板オモリの取り付け図面である。
【図３】宙釣り時に仕掛けが水中を降下する状態を示す図面である。
【図４】宙釣り時の実施例を示す水中での状態の図面である。
【図５】底釣り時のパイプへのオモリの取り付け図面である。
【図６】底釣り時に仕掛けが水中を降下する状態を示す図面である。
【図７】底釣り時の実施例を示す水低での状態の図面である。
【符号の説明】（１）パイプ（図１本考案のパイプ）
（２）フック
（３）オモリ移動防止凸
（４）板オモリ
（５）オモリ装着金具
（６）オモリ
（７）ウキ
（８）ウキ止め
（９）道糸
（１０）オモリ止め
（１１）よりもどし
（１２）ハリス
（１３）ハリ及びエサ
【図１】
0003159945.tif 000003
【図２】
0003159945.tif 000004
【図３】
0003159945.tif 000005
【図４】
0003159945.tif 000006
【図５】
0003159945.tif 000007
【図６】
0003159945.tif 000008
【図７】
0003159945.tif 000009
【手続補正書】
【提出日】平成21年12月12日(2009.12.12)
【手続補正１】
【補正対象書類名】実用新案登録請求の範囲
【補正対象項目名】全文
【補正方法】変更
【補正の内容】
【実用新案登録請求の範囲】
【請求項１】
：道糸に挿通するパイプであって、パイプの中央部分にオモリの移動を防止するための凸を設け、その凸部にオモリを係止するためのフックを設けたことを特徴とする、オモリの移動防止のためのパイプ。
【手続補正書】
【提出日】平成22年2月25日(2010.2.25)
【手続補正１】
【補正対象書類名】実用新案登録請求の範囲
【補正対象項目名】全文
【補正方法】変更
【補正の内容】
【実用新案登録請求の範囲】
【請求項１】
道糸に挿通するパイプであって、パイプの中央部分にオモリの移動を防止するための凸部を設け、その凸部にオモリを係止するためのフックを設けたことを特徴とする、オモリの移動防止のためのパイプ。
(57)【要約】      （修正有）【課題】パーティの盛り上がりを阻害することなく、速やかにゲームを行えるパーティゲーム付コースターを提供する。【解決手段】コースターの表面にはゲームの名前を記載し、コースターの裏面にはゲームに利用する番号や籤の結果を記載する。【選択図】図１
0003159946.tif 000002
【実用新案登録請求の範囲】
【請求項１】
コースターの裏表面に、パーティの際に利用できるゲームを記載し、パーティなど複数の人が集まって飲み物を飲む際に、初めからコースターとして各人の手元に置くことで、ゲームを行いたいときに、トランプやサイコロ、籖などの道具を準備する手間を省き、またパーティの盛り上がりを阻害することなくゲームの開始を提案することに役立つ、パーティゲーム付コースター
【考案の詳細な説明】
【産業上の利用分野】
【０００１】  本考案は、コースターの裏表面に、パーティの際に利用できるゲームを記載しておき、パーティや懇親会などで複数の人が集まって飲み物を飲む際に、自然な流れで速やかにゲームが行えるパーティゲーム付コースターに関するものである。
【背景技術】
【０００２】  従来一般に、パーティや懇親会時にゲームを行う際は、予めゲームに利用する道具としてトランプやサイコロ、籤などを準備しておき、パーティの最中にゲームの開始を宣言し、参加者の了解を得てゲームを行っていた。
【考案の開示】
【考案が解決しようとする課題】
【０００３】  予め参加者の了解を得てゲームに利用する道具を準備しておき、パーティの最中にゲーム開始を宣言しゲームを行うことは、道具の準備に手間がかかり、また、わざわざ道具を準備したことが明らかとなるし、ゲームに参加したくない人がいた場合、パーティの盛り上がりを阻害してしまう恐れがある。従って、パーティで通常利用されるコースターにゲーム機能を加えることにより、ゲームを行いたいときに、道具を準備する手間を省くとともに、パーティの流れを妨げずに、自然な流れでゲーム開始を提案することが可能になり、前述の欠点を解決しようとするものである。
【課題を解決するための手段】
【０００４】  本考案は、コースターの裏表面に、パーティの際に利用できるゲームを記載し、パーティや懇親会など複数の人が集まって飲み物を飲む際に、初めからコースターとして各人の手元に置くことで、ゲームを行いたいときに、トランプやサイコロ、籤などの道具を準備する手間を省け、またパーティの盛り上がりを阻害することなくゲームの開始を提案できることで問題を解決している。
【考案の効果】
【０００５】  上述の様に、本考案のパーティゲーム付コースターは、コースターとして、日常的に利用できるので、ゲームを行いたいときに、道具を準備する手間を省くこと、及びパーティの流れを妨げずに、自然な流れでゲーム開始を提案することに役立つ。
【図面の簡単な説明】
【０００６】
【図１】本考案の実施例の平面図
【図２】本考案の実施例の底面図
【図３】本考案の実施例の側面図
【考案を実施するための形態】
【０００７】  コースターの、裏表にゲームを記載し、パーティなどに適したデザインのコースターとする。表面にはゲームの名前を記載し、参加者の興味を引き、裏面にはゲームに利用する番号や籤の結果などを記載する。
【実施例】
【０００８】  本考案の実施例について、以下、添付図面に従って一実施例を説明する。図１は本考案の一実施例の平面図である。図１において２はゲームの名称であり、コースターとして利用する際は、この面のみが見える。図２は本考案の一実施例の底面図である。図２において３は、ゲームに利用する数字や籤の結果であり、通常コースターとして利用する際は、こちらの面は見えない。パーティゲームを行うための道具でありながら、コースターとしての利用が可能なため、パーティの雰囲気を損なわずに会場に設置しておくことができる。図３は、本考案の実施例の側面図である。
【符号の説明】
【０００９】１  コースター本体
２  ゲームの名称
３  ゲームに利用する数字や籤の結果など
【図１】
0003159946.tif 000003
【図２】
0003159946.tif 000004
【図３】
0003159946.tif 000005
【手続補正書】
【提出日】平成22年3月10日(2010.3.10)
【手続補正１】
【補正対象書類名】実用新案登録請求の範囲
【補正対象項目名】全文
【補正方法】変更
【補正の内容】
【実用新案登録請求の範囲】
【請求項１】
コースターの表面にはゲームの名前を記載し、コースターの裏面にはゲームに利用する番号や籤の結果を記載し、パーティで複数の人が集まって飲み物を飲む際に、初めからコースターとして各人の手元に置くことで、ゲームを行いたいときに、トランプやサイコロ、籤などの道具を準備する手間を省き、またパーティの盛り上がりを阻害することなくゲームの開始を提案することに役立つ、パーティゲーム付コースター
(57)【要約】      （修正有）【課題】寝返りを打った時や横向きの体勢で寝る時も、身体に密着し外部からの冷気の侵入を防げる掛け寝具を提供する。【解決手段】側生地に２重の点留接結したニット地を使用し、詰めものに機械引きまわたを使用して曲線のキルティングを施す。【選択図】図１
0003159955.tif 000002
【実用新案登録請求の範囲】
【請求項１】
掛け寝具において、側生地に２重の点留接結したニット地を表地と裏地ともに使用し、且つ、詰めものにシルク（機械引きまわた）を使用したことを特徴とする掛け寝具。
【請求項２】
前記の素材を基に構成した掛け寝具を、曲線状のキルティングを施したことを特徴とする掛け寝具。
【考案の詳細な説明】
【技術分野】
【０００１】  本考案は、身体への密着性が良く外部からの冷気の進入を防止し、又適度な通気性があるように、側生地に２重の点留接結したニット地を使用し、詰めものにシルク（機械引きまわた）を使用して曲線状のキルティングを施した掛け寝具に関するものである。
【背景技術】
【０００２】  一般に、掛け寝具は柔らかさが不足しており、身体との間にすきまが生じ易く、そこから外部の冷気が掛け寝具の中へ侵入してくる。その点を形状の改良で解消を試みたと思われる従来の掛け寝具には、衿部分中央にスリットが入ったもの、頭部を入れるための穴をあけたもの、衿部分裏面左右に肩を覆う生地を縫い付けたもの等があるが、本体形状ではなく、素材の組み合わせで解消を試みたものは少ない。
【先行技術文献】
【０００３】
【特許文献１】特開２００３−２３５７０６号
【特許文献２】特開２０００−２２９０２３号
【０００４】
【非特許文献１】登録実用新案第３０３２２１１号
【考案の概要】
【考案が解決しようとする課題】
【０００５】  ところが、前述した従来の掛け寝具は実際使用した場合、仰向けに寝た時は効果を発揮するが、寝返りを打った時や横向きの体勢で寝る時は、身体を十分に覆うほどのものではなくなり易く、すきまが生じ外部からの冷気の侵入を防ぎにくくなる。【０００６】  そこで、本考案は身体に添う素材を使用し、キルティングを施すことにより、横向きの体勢でも身体に密着しながら添うことを可能にし、すきま風の侵入を防ぎ、又温められた空気の外部への流出を防ぐことの向上を目的とする。
【課題を解決するための手段】
【０００７】  請求項１に記載の考案は、掛け寝具において、側生地に柔らかく肌添いの良い２重の点留接結したニット地を使用し、詰めものにシルク（機械引きまわた）を使用したものをキルティングすることで、身体に密着して身体に添うことを要旨とする。従って、請求項１に記載の考案によれば、掛け寝具が身体に密着し、身体に添うことになる。掛けることにより、掛け寝具と身体との間に生じるすきまを埋めることができる。
【考案の効果】
【０００８】  請求項１に記載の考案によれば、掛け寝具が身体に密着し添うことになる。掛けることにより、掛け寝具と身体との間に生じるすきまをうめることができるため、睡眠の妨げの一因である外部からの冷気の進入を防止し、又温められた空気の外部への流出を防ぐことを向上させることができる。また、身体に密着し添うため、横向きの体勢になっても肩や背中が表に出にくく、身体の動きが制限されることもない。
【図面の簡単な説明】
【０００９】
【図１】本考案の掛けふとんの一形態を示す平面図である。
【図２】本考案の掛けふとんの一実施形態を示す斜視図である。
【図３】本考案の掛けふとんの一形態を示す断面図である。
【考案を実施するための最良の形態】
【００１０】  本考案を実施するための最良の形態を、詳しく説明する。
【実施例】
【００１１】  以下、貼付図面に従って一実施例を説明する。図１に本考案を具体化した掛けふとんのキルティング形状を示してある。片側３重に曲線のキルティングを施すことにより、側生地の２重の点留接結したニット地と詰めもののシルク（機械引きまわた）のしなやかな風合いと融合して、身体に密着して添う形状を形成する。
図２に、実際に横向きに寝た際の使用状態を示す。横向きの体勢になっても身体と掛けふとんが密着し、すきまを生じにくい。図３に、考案した掛けふとんの断面図を示す。
【符号の説明】
【００１２】１…表地
２…裏地
３…キルティング形状
４…詰め物素材
５…外周ヘムテープ
【図１】
0003159955.tif 000003
【図２】
0003159955.tif 000004
【図３】
0003159955.tif 000005
【手続補正書】
【提出日】平成22年3月5日(2010.3.5)
【手続補正１】
【補正対象書類名】実用新案登録請求の範囲
【補正対象項目名】全文
【補正方法】変更
【補正の内容】
【実用新案登録請求の範囲】
【請求項１】
掛け寝具において、側生地に２重の点留接結したニット地を表地と裏地ともに使用し、且つ、詰めものに機械引きまわたを使用したことを特徴とする掛け寝具。
【請求項２】
曲線状のキルティング施したことを特徴とする請求項１に記載の掛け寝具。
(57)【要約】      （修正有）【課題】畳干し不要で、室内の調湿が出来る調湿たたみを提供する。【解決手段】わら床畳の間に断熱材と調湿シリカゲルを敷き込む。【選択図】図１
0003159956.tif 000002
【実用新案登録請求の範囲】
【請求項１】
従来のわら畳に調湿材（シリカゲル）を挟み込ませる。建材畳の様な畳自身が呼吸不可能な材料には呼吸可能な建材料を使用する。
以上の事で室内の湿度コントロールし、畳自身の乾燥もする事を特徴とする調湿たたみ。
【考案の詳細な説明】
【技術分野】
【０００１】  本考案は、わら床のたたみ内部に調湿材を敷き込んだ、たたみに関するもの。
【背景技術】
【０００２】  気密性能が向上し湿気の多いい室内は、カビやダニが繁殖しそれが元で人に対して様々な病気が多発している。昔は畳干しをして畳を乾燥させていたが、干す場所や時間が無く、新しい畳を入れたらそのまま畳替えをするまで剥がす機会が無いのが現状。
【考案の概要】
【考案が解決しようとする課題】
【０００３】  どんな環境でも対応出来る畳（調湿たたみ）高温多湿の日本の風土に住宅の気密性能が向上、締め切りの室内では多湿化している。畳干し不要で室内の湿気も除湿出来ることが可能になる点を解決しようとするものである。
【課題を解決するための手段】
【０００４】  本考案は、そのままの環境でも室内の湿度をコントロールし多湿の時は除湿し、又乾燥し過ぎの場合は加湿する事で常に快適な室内の湿度を保持させる事が出来る事により、畳干し不要となり室内のジメジメと畳のジトジトになる問題点を解決している。
【考案の効果】
【０００５】上述の様に、本考案の「調湿たたみ」を敷き込んだので室内の湿気が無くなりサラットし、ジメジメ、ジトジト感が無くなる事を体感で解りました。これからは畳干し不要となり畳の耐久性も向上しました。
【図面の簡単な説明】
【０００６】
【図１】  本考案の断面図である。
【考案を実施するための形態】
【０００７】通常のたたみ床を制作する途中で調湿材（シルカゲル）をサンドイッチし畳床を制作し、畳表（表面のゴザ）と縫い合わせる形態である。
【実施例】
【０００８】以下、本考案実施例を図とともに詳細に説明する。
▲１▼防虫通気性裏打ちシートの上に▲２▼１層目のわら（裏コモ＋下配＋切りわらに調湿材混入させる）＋▲３▼断熱材を敷き＋▲４▼単板を乗せる＋▲５▼調湿材散布＋▲６▼２層目のわら（横手配＋化粧配）を縫い合わせてから▲７▼畳表を縫い合わせて畳を完成する。
【符号の説明】
【０００９】▲１▼  防虫通気性裏打ちシート
▲２▼  １層目のわら床（裏コモ＋下配＋切りわら）
▲３▼  断熱材（押し出し発砲ポリスチレンフォーム）
▲４▼  単板（薄い単板）
▲５▼  調湿材（シリカゲル）
▲６▼  ２層目のわら床（横手配＋化粧配）
▲７▼  たたみ表（ゴザ）
【図１】
0003159956.tif 000003
【手続補正書】
【提出日】平成22年3月9日(2010.3.9)
【手続補正１】
【補正対象書類名】実用新案登録請求の範囲
【補正対象項目名】全文
【補正方法】変更
【補正の内容】
【実用新案登録請求の範囲】
【請求項１】
わら床畳の間に断熱材と吸放湿性の有る調湿材シリカゲルを敷き込み調湿作用を有することを特徴とする調湿たたみ。
【手続補正２】
【補正対象書類名】明細書
【補正対象項目名】全文
【補正方法】変更
【補正の内容】
【考案の詳細な説明】
【技術分野】
【０００１】本考案は、わら床の畳内部に調湿材を敷き込んだ、畳に関するもの。
【背景技術】
【０００２】  気密性能が向上し湿気の多いい室内は、カビやダニが繁殖しそれが元で人に対して様々な病気が多発している。昔は畳干しをして畳を乾燥させていたが、干す場所や時間が無く、新しい畳を入れたらそのまま畳替えをするまで剥がす機会が無いのが現状。
【考案の概要】
【考案が解決しようとする課題】
【０００３】  高温多湿の日本の風土に住宅の気密性能が向上し、締め切りの室内での畳は多量吸湿している。吸放湿出来るシリカゲルを畳の間に施し、畳干し不要で畳も室内の調湿出来ることを解決し、快適な室内環境を可能とするもの
【課題を解決するための手段】
【０００４】  本考案は、吸放湿性の有るシリカゲルが畳と室内の湿度をコントロールし多湿の時は除湿し、又乾燥し過ぎの場合は加湿する事で常に快適な室内の湿度を保持させる事が出来る事により、畳の日干しが不要となり室内のジメジメ感と畳のジトジトになる問題点を解決している。
【考案の効果】
【０００５】上述の様に、室内の多湿による畳への多量吸湿がなされても吸湿容量の膨大なシリカゲルが一定の湿度を保持、多湿・乾燥の度合いに従って随時吸放湿され調湿性が働くため畳全体が一定の湿度に保たれた、本考案の「調湿たたみ」を敷き込んだので室内の湿気が無くなりサラットし、ジメジメ、ジトジト感が無くなり室内が快適で安全且つ衛生的な環境が維持されている事を実体感で解りました。
【図面の簡単な説明】
【０００６】
【図１】  本考案の断面図である。
【考案を実施するための形態】
【０００７】畳の床を製作する途中で調湿材シルカゲルを敷き込み、畳床を製作し畳表と縫い合わせる形態である。
【実施例】
【０００８】以下、本考案実施例を図とともに詳細に説明する。
▲１▼防虫通気性裏打ちシートの上に▲２▼１層目のわら（裏コモ＋下配＋切りわらに調湿材混入させる）＋▲３▼断熱材を敷き＋▲４▼単板を乗せる＋▲５▼調湿材散布＋▲６▼２層目のわら（横手配＋化粧配）を縫い合わせてから▲７▼畳表を縫い合わせて畳を完成する